(57)【要約】【課題】  熟練した作業者による伝送装置の初期設定情報等の設定情報の登録作業を要することなく、容易に、伝送装置の初期設定情報等の設定情報の設定を行えるようにする。【解決手段】  ネットワ−ク６を構成する複数の伝送装置１，２，３，４，〜ｎの各々が、前記複数の伝送装置１，２，３，４，〜ｎの設定情報の各々を選択可能なように設定情報保有ファイル７を有し、各伝送装置が前記複数の伝送装置１，２，３，４，〜ｎの設定情報の中の自己の設定情報に選択して設定される伝送装置の設定方式である。【選択図】図１
2006128901.tif 000002
【特許請求の範囲】
【請求項１】
ネットワ−クを構成する複数の伝送装置の各々が、前記複数の伝送装置の設定情報の各々を選択可能に有し、各伝送装置が前記複数の伝送装置の設定情報の中の自己の設定情報に選択して設定される伝送装置の設定方式。
【請求項２】
請求項１に記載の伝送装置の設定方式において、前記複数の伝送装置が、前記自己の設定情報に選択して設定する選択設定スイッチを有していることを特徴とする伝送装置の設定方式。
【請求項３】
請求項１に記載の伝送装置の設定方式において、各伝送装置が、当該伝送装置の外部から送られてくる選択設定信号により、前記複数の伝送装置の設定情報の中の自己の設定情報に選択して設定されることを特徴とする伝送装置の設定方式。
【請求項４】
請求項１〜請求項３の何れか一に記載の伝送装置の設定方式において、前記伝送装置と交換される新たな伝送装置が、前記複数の伝送装置の設定情報を有し、当該複数の伝送装置の設定情報の中の自己の設定情報に選択して設定されることを特徴とする伝送装置の設定方式。
【発明の詳細な説明】
【技術分野】
【０００１】
ネットワ−クを構成する複数の伝送装置の設定方式に関するもので、特に、例えば船内ネットワ−ク等、外部と隔離されたクロ−ズドなネットワ−ク環境における伝送装置の初期設定等に適用する場合に好適な設定方式に関するものである。
【背景技術】
【０００２】
従来のネットワ−クを構成する複数の伝送装置における初期設定情報等の設定情報の登録作業は、一般的には、例えば、特開平１１−３０６１１０号公報（特許文献１）の段落番号「０００４」にも記載されているように、複数の伝送装置の各々にロ−カル端末を接続して、各伝送装置に対して個別に所定のコマンドを発行することによって行われている。以下、このような伝送装置の設定方式を、「ロ−カル端末利用の汎用設定方式」と記載する。
【０００３】
また、他の設定方式としては、例えば、前記特許文献１の例えば段落番号「０００６」に記載されているように、ネットワ−ク管理装置を設け、当該ネットワ−ク管理装置から各伝送装置に初期設定情報等の設定情報をダウンロ−ドするダウンロ−ド方式もある。以下、このような伝送装置の設定方式を、「ネットワ−ク管理装置利用のダウンロ−ド設定方式」と記載する。
【０００４】
【特許文献１】特開平１１−３０６１１０号公報（段落番号「０００４」「０００６」）
【発明の開示】
【発明が解決しようとする課題】
【０００５】
前述の従来の「ロ−カル端末利用の汎用設定方式」においては、ネットワ−クを構成する複数の伝送装置における初期設定情報等の設定情報の登録作業は、複数の伝送装置の各々にロ−カル端末を接続して、各伝送装置に対して個別に所定のコマンドを発行することによって行われるので、大規模で各伝送装置間の関連が複雑なネットワ−クになればなるほど、また、多機能な伝送装置になればなるほど熟練した作業者が必要で、しかもその作業は長時間に及ぶことになる。特に船内ネットワ−ク等、外部と隔離されたクロ−ズドなネットワ−ク環境においては、大規模で各伝送装置間の関連が複雑なネットワ−クになればなるほど、また、多機能な伝送装置になればなるほど、例えば伝送装置が故障した際の予備用伝送装置との交換及び当該交換した新たな伝送装置の初期設定情報等の設定情報の登録作業を、例えば運航中の船舶等の搭乗員等の限られた人員で早急にかつミスなく実施するのは困難である。
【０００６】
このような困難は、例えば前述の特許文献１に記載のような「ネットワ−ク管理装置利用のダウンロ−ド設定方式」を採用して、前記交換した新たな伝送装置の初期設定情報等の設定情報の登録を、前記ネットワ−ク管理装置から当該初期設定情報等の設定情報をダウンロ−ドすることにより行うようにすれば、緩和することが可能である。しかし、例えば運航中に、前記ネットワ−ク管理装置が故障した場合は、前述の「ロ−カル端末利用の汎用設定方式」により前記交換した新たな伝送装置の初期設定情報等の設定情報の登録を行う必要があり、当該登録作業を、例えば運航中の船舶等の搭乗員等の限られた人員で早急にかつミスなく実施するのが困難となる問題が依然として生じることになる。
【０００７】
この発明は、このような実情に鑑みてなされたもので、熟練した作業者による伝送装置の初期設定情報等の設定情報の登録作業を要することなく、容易に、伝送装置の初期設定情報等の設定情報の設定を行えるようにすることを目的とするものである。
【課題を解決するための手段】
【０００８】
この発明に係る伝送装置の設定方式は、ネットワ−クを構成する複数の伝送装置の各々が、前記複数の伝送装置の設定情報の各々を選択可能に有し、各伝送装置が前記複数の伝送装置の設定情報の中の自己の設定情報に選択して設定されるものである。
【発明の効果】
【０００９】
この発明の伝送装置の設定方式は、ネットワ−クを構成する複数の伝送装置の各々が、前記複数の伝送装置の設定情報の各々を選択可能に有し、各伝送装置が前記複数の伝送装置の設定情報の中の自己の設定情報に選択して設定されるので、熟練した作業者による伝送装置の初期設定情報等の設定情報の登録作業を要することなく、容易にミスなく、伝送装置の初期設定情報等の設定情報の設定を行うことができる効果がある。また、例えば、伝送装置が故障した際に交換した新たな伝送装置の初期設定情報等の設定も、新たな伝送装置が、前記複数の伝送装置の設定情報を有し、当該複数の伝送装置の設定情報の中の自己の設定情報に選択して設定されれば、熟練した作業者による作業を要することなく、容易にミスなく、伝送装置の初期設定情報等の設定情報の設定を行うことができ、例えば運航中の船舶等の搭乗員等の限られた人員で容易に短時間にかつミスなく当該設定を行うことができる。
【発明を実施するための最良の形態】
【００１０】
実施の形態１．
船舶において、近年は、船体内の各所に存在する機関やタンク等の被監視制御機器側の状態をデ−タとして収集し、当該収集デ−タを被監視制御機器側の子局伝送装置から、船橋等に在る操船室や制御室等の監視制御室側の親局伝送装置へ伝送し、遠隔にて、例えば運転時の発電機温度、燃料圧力などの監視を監視制御室側で行い、また、例えば燃料ポンプ、冷却ファンなどの制御を行う場合、船体内の各所に点在する被監視制御機器に取り付けられた例えば温度、圧力などの各種センサ類や例えば調節弁、冷却弁などのアクチュエ−タ類等の被監視制御機器の子局伝送装置と前記監視制御室側の監視制御装置の親局伝送装置との間でデ−タ伝送を行うための専用の伝送ケ−ブル等の伝送媒体を敷設して、船内ＬＡＮ等の外部と隔離されたクロ−ズドな船内情報ネットワ−クが構築されており、この船内情報ネットワ−クを介して船内の各種情報の伝送が行われている。
【００１１】
以下、この発明の実施の形態１を、船内監視制御に適用する場合を事例として、図１〜図３により説明する。図１はネットワ−ク全体の概略構成を例示するブロック図、図２は図１の伝送装置における設定情報保有ファイルの保存方法を説明するための説明図、図３は図１の伝送装置に設けた選択設定スイッチを選択設定操作して自己の通信部への初期設定情報の設定を行う方法を説明する説明図である。なお、各図中、同一符号は同一部分を示す。
【００１２】
図１において、船体内の各所に存在する機関やタンク等の被監視制御機器側の状態をデ−タとして収集し、当該収集デ−タを、船橋等に在る操船室や制御室等の監視制御室側の親局Ａの伝送装置１へ、被監視制御機器側の子局Ｂ〜Ｎの伝送装置２〜ｎから、伝送し、遠隔にて、例えば運転時の発電機温度、燃料圧力などの監視を監視制御室側で行う。また、例えば燃料ポンプ、冷却ファンなどの制御を行う場合、船体内の各所に点在する被監視制御機器に取り付けられた例えば温度、圧力などの各種センサ類や例えば調節弁、冷却弁などのアクチュエ−タ類等の被監視制御機器の子局Ｂ〜Ｎの伝送装置２〜ｎと前記監視制御室側の監視制御装置の親局Ａの伝送装置１との間でデ−タ伝送が行われ、操船室や制御室等の監視制御室側からの制御指令に応じて対応する被監視制御機器が制御される。
【００１３】
これらの伝送を行うための専用の伝送ケ−ブル等の伝送媒体５を敷設して、船内ＬＡＮ等の外部と隔離されたクロ−ズドな且つネットワ−クの構成が動的に変化しない船内情報ネットワ−ク６が構築されており、この船内情報ネットワ−ク６を介して船内の各種情報の伝送が行わる。前記被監視制御機器の子局Ｂ〜Ｎの伝送装置２〜ｎ間のデ−タ伝送も行われる。なお、前記船内情報ネットワ−ク６は前述の伝送装置１〜ｎおよび伝送媒体５で構成されている。
【００１４】
前記伝送装置１〜ｎには、前述の監視や制御を行うための伝送機能を持たせるために、何れも、基本構成要素であるＣＰＵ、メモリ、および通信部が設けられており、更に、選択設定スイッチが追加して設けられている。即ち、前記伝送装置１はＣＰＵ１１、メモリ１２、通信部１３、および選択設定スイッチ１４を備え、同様に、前記伝送装置２はＣＰＵ２１、メモリ２２、通信部２３、および選択設定スイッチ２４を、前記伝送装置３はＣＰＵ３１、メモリ３２、通信部３３、および選択設定スイッチ３４を、前記伝送装置４はＣＰＵ４１、メモリ４２、通信部４３、および選択設定スイッチ４４を、前記伝送装置ｎはＣＰＵｎ１、メモリｎ２、通信部ｎ３、および選択設定スイッチｎ４を、夫々有している。
【００１５】
前記各伝送装置１〜ｎの各通信部１３〜ｎ３には、それらの機器名やアドレス等の固有情報、必要なデ−タを選択送受信するための選択情報、優先送受信する優先情報、接続先情報、等の初期設定情報が、ネットワ−ク運用開始前に設定される。
【００１６】
これら伝送装置１〜ｎの各通信部１３〜ｎ３の各初期設定情報を一括したネットワ−ク内全伝送装置の初期設定情報を有する設定情報保有ファイル７を、前記伝送装置１〜ｎのメモリ１２〜ｎ２の各々が有している。即ち、前記伝送装置１〜ｎのメモリ１２〜ｎ２は、同じ構成同じ内容の設定情報保有ファイル７を、自己の設定情報を選択可能に有している。つまり、前記設定情報保有ファイル７は、例えば設定情報保有ファイル７中のアドレス「１」に前記伝送装置１用の設定情報を有し、以下同様にしてアドレス「２」に前記伝送装置２用の設定情報を、アドレス「ｎ」に前記伝送装置ｎ用の設定情報を有し、指定したアドレスの設定情報が取り出される。
【００１７】
前記伝送装置１〜ｎには、前記選択設定スイッチ１４〜ｎ４が設けられているので、これら選択設定スイッチ１４〜ｎ４を操作することにより、各伝送装置において、自己の伝送装置のアドレスを指定して、自己の伝送装置１〜ｎに必要な設定情報を、自己のメモリ内の設定情報保有ファイル７から選択して取り出し、自己の通信部内メモリに格納し、自己の通信部への初期設定情報の設定が行われる。
【００１８】
次に、伝送装置における設定情報保有ファイルの保存方法および伝送装置に設けた選択設定スイッチを選択設定操作して自己の通信部への初期設定情報の設定を行う方法、伝送装置１〜ｎを代表して伝送装置２の場合を事例にして図２および図３により説明する。
【００１９】
先ず、伝送装置における設定情報保有ファイルの保存方法を図２により説明する。
【００２０】
伝送装置２の中のＣＰＵ２１にロ−カル端末８を接続して、予め作成したネットワ−クを構成する全ての伝送装置１〜ｎ分の設定情報を一括した前記設定情報保有ファイル７を、図示の設定情報保有ファイル７の保存経路ａの通り、伝送装置２の中のＣＰＵ２１を介して伝送装置２内のメモリ２２に保存する。
【００２１】
次に、伝送装置２に設けた選択設定スイッチ２４を選択設定操作して自己の通信部２３への初期設定情報の設定を行う方法を図３により説明する。
【００２２】
図３は、図２により説明したようにして設定情報保有ファイル７を伝送装置２に保存した後、図１に示すネットワ−ク６に組み込む際に選択設定スイッチ２４を操作した結果の一例を示しており、伝送装置２の選択設定スイッチ２４によって設定情報保有ファイル内のアドレス「２」を選択した場合、前記選択設定スイッチ２４による選択結果が、図示の設定情報の選択経路ｂの通り、ＣＰＵ２１を介してメモリ２２に伝えられて、図示の設定情報の呼出設定経路ｃの通り、メモリ２２に保存している設定情報保有ファイル７の中から選択された自伝送装置２のアドレス「２」の設定情報２７が、ＣＰＵ２１によって呼び出され、この呼び出された自伝送装置２の通信部２３の設定情報２７は、ＣＰＵ２１によって通信部２３に伝えられ、通信部２３内のメモリ等に初期設定情報等の設定情報として格納されて設定される。このようにして設定されることにより、伝送装置２は、所期の機能によりネットワ−ク６における伝送装置２として動作する。
【００２３】
伝送装置１の場合、そのメモリ１２への設定情報保有ファイル７の保存は、前述の伝送装置２の場合と同様にして行われ、自己の通信部１３への初期設定情報の設定は、自己の選択設定スイッチ２４により設定情報保有ファイル内のアドレス「１」を選択することにより、前述の伝送装置２の場合と同様にして、メモリ１２に保存している設定情報保有ファイル７の中から選択されたアドレス「１」の設定情報が、ＣＰＵ１１によって呼び出され、この呼び出された設定情報が、ＣＰＵ１１によって通信部１３内のメモリ等に初期設定情報として格納されて設定される。
【００２４】
伝送装置３〜ｎにおいても、同様にして、伝送装置における設定情報保有ファイルの保存、および伝送装置に設けた選択設定スイッチを選択設定操作することにより自己の通信部への初期設定情報の設定が行われる。
【００２５】
また、ネットワ−ク６の運用中に、複数の伝送装置１〜ｎの何れかが故障した場合、故障した伝送装置と交換した新たな伝送装置への初期設定情報等の設定情報の設定を行う場合も、前述と同様にして行う。例えば、ネットワ−ク６の運用中に、伝送装置２が故障した場合、故障した伝送装置２を取り外して新たな伝送装置２を接続し、前述のようにして、新たな伝送装置２のメモリ２２に設定情報保有ファイル７を保存し、新たな伝送装置２の通信部２３への初期設定情報の設定は、新たな伝送装置２の選択設定スイッチ２４により設定情報保有ファイル内のアドレス「２」を選択することにより、新たな伝送装置２の通信部１３内のメモリ等に当該伝送装置２の初期設定情報等の設定情報が設定される。
【００２６】
前述のように、ネットワ−ク６を構成する複数の伝送装置１〜ｎの各々が、前記複数の伝送装置１〜ｎの設定情報（前述のように設定情報保有ファイル７のアドレス「１」〜「ｎ」に、前記複数の伝送装置１〜ｎ対応して格納された前記複数の伝送装置１〜ｎの各設定情報）の各々を選択可能（前述のようにアドレスを指定することにより当該伝送装置に必要な設定情報を呼び出せるように）に有し、各伝送装置１〜ｎが、対応する選択設定スイッチ１４〜ｎ４によって前記複数の伝送装置の設定情報の中の自己の設定情報に選択して設定されるので、従来のように、複数の伝送装置１〜ｎの各々において初期設定情報等の設定情報の登録作業を個別に所定のコマンドを発行することによって行う必要がない。従って、大規模で各伝送装置間の関連が複雑なネットワ−クであっても、また、多機能な伝送装置であっても、現地でのネットワ−ク構築作業において、熟練した作業者を要することなく、現地ネットワ−ク構築作業者が、複数の伝送装置１〜ｎへの設定情報の設定を、容易に、短時間に、ミス無く行うことができる。
【００２７】
また、船内ネットワ−ク等、外部と隔離されたクロ−ズドなネットワ−ク環境において、大規模で各伝送装置間の関連が複雑なネットワ−クであっても、また、多機能な伝送装置であっても、例えば船舶などの運行中に伝送装置が故障した際の予備用伝送装置との交換及び当該交換した新たな伝送装置の初期設定情報等の設定情報の登録作業を、例えば運航中の船舶等の搭乗員等の限られた人員で容易に短時間にかつミスなく実施することができる。また、故障に限らず、寿命その他の必要性で、ネットワ−ク内の任意の伝送装置を予備用伝送装置と容易に交換できる。
【００２８】
実施の形態２．
前述のこの発明の実施の形態１では、各伝送装置１〜ｎにおいて、メモリ１２〜ｎ２内の設定情報保有ファイル７の必要な設定情報を、選択設定スイッチ１４〜ｎ４による選択操作によって自己の通信部１３〜ｎ３に設定する場合を例示したが、図４に示すように、外部指令信号９を信号入力部２５を介してＣＰＵ２１与えることによって、設定情報保有ファイル７の必要な設定情報を選択するようにしても、前述のこの発明の実施の形態１と同じ効果を奏すると共に、選択設定スイッチ１４〜ｎ４が不要であり、従ってその設定操作も不要となる。前記外部指令信号９は、例えば、前記伝送装置１（図１参照）については、その対応監視制御室の監視制御装置から任意に或は定期的に自動的に送られてくる信号であり、前記伝送装置２〜ｎ（図１参照）については、その対応被監視制御機器から、自伝送装置を選択する信号、例えば「２」、を任意に或は定期的に自動的に送られてくる信号である。
【００２９】
なお、この発明の実施の形態２において、前述の発明の実施の形態１における選択設定スイッチ１４〜ｎ４に代えて前記外部指令信号９を使用するようにした点が前述の発明の実施の形態１と相違し、その他については前述の発明の実施の形態１と同じであるので説明を割愛する。
【００３０】
なお、前述のこの発明の実施の形態１および２においては、前記伝送装置１〜ｎの何れも、伝送媒体５に接続してネットワ−ク６を構築した後に、或は故障した伝送装置に代えて新たな伝送装置を接続した後に、伝送装置１〜ｎの各通信部１３〜ｎ３の各初期設定情報等の設定情報を一括したネットワ−ク内全伝送装置の初期設定情報等の設定情報を有する設定情報保有ファイル７を、各メモリ１２〜ｎ２に、或は故障した伝送装置に代えた新たな伝送装置のメモリに、格納する場合について例示したが、前記伝送装置１〜ｎの何れも伝送媒体５に接続する前に、或は故障した伝送装置に代える新たな伝送装置を接続する前に、事前に、各メモリ１２〜ｎ２に、或は故障した伝送装置に代える新たな伝送装置のメモリに、伝送装置１〜ｎの各通信部１３〜ｎ３の各初期設定情報等の設定情報を一括したネットワ−ク内全伝送装置の初期設定情報等の設定情報を有する設定情報保有ファイル７を格納するようにしてもよく、その場合も前述のこの発明の実施の形態１および２と同じ効果を奏する。
【００３１】
また、前述のこの発明の実施の形態１および２において、前記設定情報保有ファイル７における各伝送装置に対応する各設定情報のアドレス「１」〜「ｎ」を付与して必要な設定情報のアドレスを選択する場合を例示したが、アドレスに代え、各伝送装置に対応する各設定情報毎にことなる任意の番号や符号を付け、必要な設定情報に対応する任意の番号や符号が検索により選定されるようにしてもよく、その場合も前述のこの発明の実施の形態１および２と同じ効果を奏する。
【産業上の利用可能性】
【００３２】
前述のこの発明の実施の形態１および２においては、外部と隔離されたクロ−ズドなネットワ−ク環境として、船舶の場合を例示したが、この発明は飛行機、他、の外部と隔離されたクロ−ズドなネットワ−ク環境に適用しても、前述のこの発明の実施の形態１および２と同等の効果を奏する。
【図面の簡単な説明】
【００３３】
【図１】この発明の実施の形態１を示す図で、ネットワ−ク全体の概略構成を例示するブロック図である。
【図２】この発明の実施の形態１を示す図で、図１の伝送装置における設定情報保有ファイルの保存方法を説明するための説明図である。
【図３】この発明の実施の形態１を示す図で、図１の伝送装置に設けた設定スイッチを選択設定操作して自己の通信部への初期設定情報の設定を行う方法を説明する説明図である。
【図４】この発明の実施の形態２を示す図で、自己の通信部への初期設定情報の設定を行う他の方法を説明する説明図である。
【符号の説明】
【００３４】
Ａ    操船室や制御室等の監視制御室側の親局、
Ｂ，Ｃ，Ｄ，〜Ｎ    被監視制御機器側の子局、
１，２，３，４，〜ｎ    伝送装置、
１１，２１，３１，４１，〜ｎ１    ＣＰＵ、
１２，２２，３２，４２，〜ｎ２    メモリ、
１３，２３，３３，４３，〜ｎ３    通信部、
１４，２４，３４，４４，〜ｎ４    選択設定スイッチ、
２５    信号入力部、
２７    ＣＰＵ２１によって呼び出された設定情報、
５    伝送ケ−ブル等の伝送媒体、
６    ネットワ−ク、
７    設定情報保有ファイル、
８    ロ−カル端末、
９    外部指令信号、
ａ    設定情報保有ファイル７の保存経路、
ｂ    設定情報の選択経路、
ｃ    設定情報の呼出設定経路。
【図１】
2006128901.tif 000003
【図２】
2006128901.tif 000004
【図３】
2006128901.tif 000005
【図４】
2006128901.tif 000006